(57)【要約】  高輝度化されたプラズマディスプレイパネルであっても、プラズマディスプレイ装置に電源を投入した直後にプラズマディスプレイパネルに発生しやすい初期化輝点を低減し、画像の表示品質を向上する。そのために、走査電極および維持電極からなる表示電極対とデータ電極とを有する放電セルを複数備えたプラズマディスプレイパネルを、放電セルで初期化放電を発生する初期化期間と、走査電極に走査パルスを印加しデータ電極に書込みパルスを印加する書込み期間と、表示電極対に維持パルスを印加する維持期間とを有する複数のサブフィールドで１フィールド期間を構成して駆動するプラズマディスプレイパネルの駆動方法において、プラズマディスプレイ装置の電源がオフされてから所定の期間は書込みパルスおよび走査パルスおよび維持パルスの発生を停止する。
2011089888.tif 000002
【特許請求の範囲】
【請求項１】
走査電極および維持電極からなる表示電極対とデータ電極とを有する放電セルを複数備えたプラズマディスプレイパネルを、前記放電セルで初期化放電を発生する初期化期間と、前記走査電極に走査パルスを印加し前記データ電極に書込みパルスを印加する書込み期間と、前記表示電極対に維持パルスを印加する維持期間とを有する複数のサブフィールドで１フィールド期間を構成して駆動するプラズマディスプレイパネルの駆動方法であって、
前記プラズマディスプレイパネルを有するプラズマディスプレイ装置の電源がオフされてから所定の期間は前記書込みパルスおよび前記走査パルスおよび前記維持パルスの発生を停止する
ことを特徴とするプラズマディスプレイパネルの駆動方法。
【請求項２】
走査電極と維持電極とデータ電極とを有する放電セルを複数備えたプラズマディスプレイパネルと、
前記放電セルで初期化放電を発生する初期化期間と前記放電セルで書込み放電を発生する書込み期間と前記放電セルで維持放電を発生する維持期間とを有する複数のサブフィールドで１フィールド期間を構成し、前記走査電極と前記維持電極と前記データ電極とに印加する駆動電圧波形を発生する駆動回路と、
前記駆動回路に供給する電源のオン・オフを制御する電源スイッチとを備えたプラズマディスプレイ装置であって、
前記駆動回路は、前記電源スイッチがオフとなった後、全ての放電セルで初期化放電を発生する全セル初期化波形を前記走査電極に複数回印加する
ことを特徴とするプラズマディスプレイ装置。
【請求項３】
前記駆動回路は、前記電源スイッチがオフとなった後に前記全セル初期化波形を前記走査電極に印加する周期の長さを、１フィールド期間の長さより短くする
ことを特徴とする請求項２に記載のプラズマディスプレイ装置。
【請求項４】
前記駆動回路は、前記電源スイッチがオフとなった後に前記走査電極に印加する前記全セル初期化波形の初期化電圧を、通常動作時における前記全セル初期化波形の初期化電圧よりも高くする
ことを特徴とする請求項２に記載のプラズマディスプレイ装置。
【発明の詳細な説明】
【技術分野】
【０００１】
本発明は、壁掛けテレビや大型モニターに用いられるプラズマディスプレイパネルの駆動方法およびそれを用いたプラズマディスプレイ装置に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する。これにより、各放電セルにおいて、続く書込み動作のために必要な壁電荷を形成するとともに、書込み放電を安定して発生するためのプライミング粒子（放電を発生させるための励起粒子）を発生する。【０００７】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００８】
維持期間では、サブフィールド毎に定められた数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、サブフィールド毎に定められた輝度重みに応じた輝度で発光させる。このようにして、パネルの各放電セルを画像信号の階調値に応じた輝度で発光させて、パネルの画像表示領域に画像を表示する。【０００９】
そしてプラズマディスプレイ装置は、パネルをこのように駆動するために、走査電極駆動回路、維持電極駆動回路、データ電極駆動回路を備えている。そして、それぞれの電極に駆動電圧波形を印加して、パネルに画像を表示する。【００１０】
また、サブフィールド法の一つとして、階調表示に関係しない発光を極力減らしコントラスト比を向上させる駆動方法が開示されている。その駆動方法では、緩やかに変化する電圧波形を用いて初期化放電を行い、さらに維持放電を行った放電セルに対して選択的に初期化放電を行う。【００１１】
具体的には、複数のサブフィールドのうち、１つのサブフィールドの初期化期間においては、全ての放電セルに初期化放電を発生する全セル初期化動作を行う。また、他のサブフィールドの初期化期間においては、直前のサブフィールドの維持期間において維持放電を行った放電セルだけに初期化放電を発生する選択初期化動作を行う（例えば、特許文献１参照）。【００１２】
これにより、維持放電を発生しない黒を表示する領域の輝度（以下、「黒輝度」と略記する）は全セル初期化動作の放電に伴う微弱発光だけとなる。したがって、階調の表示に関係しない発光を極力減らすことができ、表示画像のコントラスト比を高めることが可能となる。【００１３】
近年においては、パネルの高精細化、大画面化にともない、プラズマディスプレイ装置におけるさらなる画像表示品質の向上が望まれている。パネルの高輝度化は画像表示品質を向上させる有効な手段の一つである。また、パネルを高輝度化すると、消費電力の削減を図ることもできる。そのため、パネルの輝度を高めるために様々な取り組みがなされている。【００１４】
そのうちの一つとして、放電ガスのキセノン分圧を高めて発光効率を向上させる検討が進められている。しかし、キセノン分圧を高めると、放電セルに印加した電圧が放電開始電圧を超えてから実際に放電が発生するまでの時間（以下、「放電遅れ」と呼称する）が大きくなるといった問題が発生する。【００１５】
放電遅れが大きいと、全セル初期化動作を行うときに強放電を発生するおそれがある。そして、この強放電は、続く書込み期間において誤放電を誘発し、書込みがなされていないにもかかわらず維持放電が生じて発光してしまう放電セル（以下、「初期化輝点」と呼称する）を生じさせるおそれがある。【００１６】
このように、キセノン分圧を高めて発光効率を向上させたパネルでは、放電遅れにともなう初期化輝点が発生しやすいという課題がある。【００１７】
一方、プラズマディスプレイ装置に電源を投入した直後のパネルにおいては、放電セル内にプライミング粒子が十分に存在せず、また、放電セル内に異常な壁電荷が残存していることがある。そのため、パネルの駆動が開始された直後に行う初期化動作において、強放電を誘発することがある。【００１８】
すなわち、キセノン分圧を高めて発光効率を向上させたパネルを搭載したプラズマディスプレイ装置では、プラズマディスプレイ装置に電源を投入した直後に初期化輝点が発生しやすく、電源投入直後の画像表示品質が劣化したように見えてしまうおそれがあるという問題があった。
【先行技術文献】
【特許文献】
【００１９】
【特許文献１】特開２０００−２４２２２４号公報
【発明の概要】
【００２０】
本発明のパネルの駆動方法は、走査電極および維持電極からなる表示電極対とデータ電極とを有する放電セルを複数備えたパネルを、放電セルで初期化放電を発生する初期化期間と、走査電極に走査パルスを印加しデータ電極に書込みパルスを印加する書込み期間と、表示電極対に維持パルスを印加する維持期間とを有する複数のサブフィールドで１フィールド期間を構成して駆動するパネルの駆動方法である。そして、このパネルを有するプラズマディスプレイ装置の電源がオフされてから所定の期間は、書込みパルスおよび走査パルスおよび維持パルスの発生を停止する。
【００２１】
これにより、キセノン分圧を高める等して発光効率を向上させ高輝度化されたパネルであっても、プラズマディスプレイ装置に電源を投入した直後に発生しやすい初期化輝点を低減し、プラズマディスプレイ装置における画像の表示品質を向上することができる。
【００２２】
本発明のプラズマディスプレイ装置は、走査電極と維持電極とデータ電極とを有する放電セルを複数備えたパネルと、放電セルで初期化放電を発生する初期化期間と放電セルで書込み放電を発生する書込み期間と放電セルで維持放電を発生する維持期間とを有する複数のサブフィールドで１フィールド期間を構成し、走査電極と維持電極とデータ電極とに印加する駆動電圧波形を発生する駆動回路と、駆動回路に供給する電源のオン・オフを制御する電源スイッチとを備えたプラズマディスプレイ装置である。そして、駆動回路は、電源スイッチがオフとなった後、全ての放電セルで初期化放電を発生する全セル初期化波形を走査電極に複数回印加する。
【００２３】
これにより、キセノン分圧を高める等して発光効率を向上させ高輝度化されたパネルであっても、プラズマディスプレイ装置に電源を投入した直後に発生しやすい初期化輝点を低減し、プラズマディスプレイ装置における画像の表示品質を向上することができる。
【００２４】
また、本発明において、駆動回路は、電源スイッチがオフとなった後に全セル初期化波形を走査電極に印加する周期の長さを、１フィールド期間の長さより短くしてもよい。
【００２５】
また、本発明において、駆動回路は、電源スイッチがオフとなった後に走査電極に印加する全セル初期化波形の初期化電圧を、通常動作時における全セル初期化波形の初期化電圧よりも高くしてもよい。
【図面の簡単な説明】
【００２６】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置に用いるパネルの各電極に印加する駆動電圧波形を示す図である。
【図４】図４は、本発明の実施の形態１におけるプラズマディスプレイ装置の回路ブロック図である。
【図５】図５は、本発明の一実施の形態におけるプラズマディスプレイ装置の電源をオンした直後の初期化輝点の発生状況とオフ準備動作期間の長さとの関係を示す特性図である。
【図６】図６は、本発明の実施の形態１におけるプラズマディスプレイ装置の走査電極駆動回路の構成を示す回路図である。
【図７】図７は、本発明の実施の形態１におけるプラズマディスプレイ装置のデータ電極駆動回路の構成を示す回路図である。
【図８】図８は、本発明の実施の形態２におけるオフ準備動作期間にパネルの各電極に印加する駆動電圧波形を示す図である。
【図９】図９は、本発明の実施の形態２におけるプラズマディスプレイ装置の電源をオンした直後の初期化輝点の発生状況とオフ準備動作期間の長さとの関係を示す特性図である。
【図１０】図１０は、本発明の実施の形態３における走査電極駆動回路の一部を抜き出して示した回路図である。
【図１１】図１１は、本発明の実施の形態３におけるオフ準備動作期間において全セル初期化動作時に走査電極に印加する波形形状を示す波形図である。
【発明を実施するための形態】
【００２７】
以下、本発明の実施の形態におけるプラズマディスプレイ装置について、図面を用いて説明する。
【００２８】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００２９】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００３０】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００３１】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。なお、本実施の形態では、放電セルにおける発光効率を向上するために、キセノン分圧を約１５％にした放電ガスを用いている。
【００３２】
放電空間は隔壁３４によって複数の区画に仕切られており、表示電極対２４とデータ電極３２とが交差する部分に放電セルが形成されている。そして、これらの放電セルを放電、発光（点灯）することにより、パネル１０にカラーの画像が表示される。
【００３３】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。以下、赤色で発光する放電セルをＲ放電セル、緑色で発光する放電セルをＧ放電セル、青色で発光する放電セルをＢ放電セルと呼称する。
【００３４】
なお、パネル１０の構造は上述したものに限られるわけではなく、例えばストライプ状の隔壁を備えたものであってもよい。また、放電ガスの混合比率は、例えば、発光効率を向上するためにキセノン分圧をさらに上げてもよいが、その他の混合比率であってもよい。
【００３５】
図２は、本発明の実施の形態１におけるプラズマディスプレイ装置に用いるパネル１０の電極配列図である。パネル１０には、行方向（ライン方向）に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。なお、本実施の形態においては、ｎ＝１０８０とするが、本発明は何らこの数値に限定されるものではない。
【００３６】
次に、本実施の形態におけるプラズマディスプレイ装置のパネル１０の駆動方法について説明する。なお、本実施の形態におけるプラズマディスプレイ装置は、サブフィールド法によって階調表示を行う。サブフィールド法では、１フィールドを時間軸上で複数のサブフィールドに分割し、各サブフィールドに輝度重みをそれぞれ設定する。それぞれのサブフィールドは初期化期間、書込み期間および維持期間を有する。そして、サブフィールド毎に各放電セルの発光・非発光を制御することによってパネル１０に画像を表示する。
【００３７】
輝度重みとは、各サブフィールドで表示する輝度の大きさの比を表すものであり、各サブフィールドでは輝度重みに応じた数の維持パルスを維持期間に発生する。したがって、例えば、輝度重み「８」のサブフィールドは、輝度重み「１」のサブフィールドの約８倍の輝度で発光し、輝度重み「２」のサブフィールドの約４倍の輝度で発光する。したがって、画像信号に応じた組み合わせで各サブフィールドを選択的に発光させることによって様々な階調を表示し、画像を表示することができる。
【００３８】
本実施の形態では、１フィールドを１０のサブフィールド（第１ＳＦ、第２ＳＦ、・・・、第１０ＳＦ）に分割し、時間的に後のサブフィールドほど輝度重みが大きくなるように、各サブフィールドはそれぞれ（１、２、３、６、１１、１８、３０、４４、６０、８０）の輝度重みを有する構成とする例を説明する。この構成では、Ｒ信号、Ｇ信号、Ｂ信号をそれぞれ０から２５５までの２５６階調で表示することができる。
【００３９】
なお、複数のサブフィールドのうち、１つのサブフィールドの初期化期間においては全ての放電セルに初期化放電を発生する全セル初期化動作を行い、他のサブフィールドの初期化期間においては直前のサブフィールドの維持期間で維持放電を発生した放電セルに対して選択的に初期化放電を発生する選択初期化動作を行う。以下、全セル初期化動作を行うサブフィールドを「全セル初期化サブフィールド」と呼称し、選択初期化動作を行うサブフィールドを「選択初期化サブフィールド」と呼称する。
【００４０】
本実施の形態では、第１ＳＦの初期化期間では全セル初期化動作を行い、第２ＳＦ〜第１０ＳＦの初期化期間では選択初期化動作を行う例を説明する。これにより、画像の表示に関係のない発光は第１ＳＦにおける全セル初期化動作の放電にともなう発光のみとなる。したがって、維持放電を発生しない黒表示領域の輝度である黒輝度は全セル初期化動作における微弱発光だけとなり、パネル１０にコントラストの高い画像を表示することが可能となる。
【００４１】
また、各サブフィールドの維持期間においては、それぞれのサブフィールドの輝度重みに所定の比例定数を乗じた数の維持パルスを表示電極対２４のそれぞれに印加する。この比例定数が輝度倍率である。
【００４２】
なお、維持期間においては、それぞれのサブフィールドの輝度重みに所定の輝度倍率を乗じた数の維持パルスを、走査電極２２および維持電極２３のそれぞれに印加する。したがって、例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００４３】
しかし、本実施の形態は、１フィールドを構成するサブフィールドの数や各サブフィールドの輝度重みが上記の値に限定されるものではない。また、画像信号等にもとづいてサブフィールド構成を切り換える構成であってもよい。
【００４４】
図３は、本発明の実施の形態１におけるプラズマディスプレイ装置に用いるパネル１０の各電極に印加する駆動電圧波形を示す図である。図３には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【００４５】
また、図３には、初期化期間に走査電極ＳＣ１〜走査電極ＳＣｎに印加する駆動電圧の波形形状が異なる２つのサブフィールドの駆動電圧波形を示す。この２つのサブフィールドとは、全セル初期化サブフィールドである第１サブフィールド（第１ＳＦ）と、選択初期化サブフィールドである第２サブフィールド（第２ＳＦ）である。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中から画像データ（サブフィールド毎の点灯・非点灯を示すデータ）にもとづき選択された電極を表す。
【００４６】
まず、全セル初期化サブフィールドである第１ＳＦについて説明する。
【００４７】
第１ＳＦの初期化期間前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧Ｖｉ１を印加する。電圧Ｖｉ１は、維持電極ＳＵ１〜維持電極ＳＵｎに対して放電開始電圧未満の電圧に設定する。さらに、走査電極ＳＣ１〜走査電極ＳＣｎに、電圧Ｖｉ１から電圧Ｖｉ２に向かって緩やかに上昇する傾斜波形電圧を印加する。以下、この傾斜波形電圧を、「上りランプ電圧Ｌ１」と呼称する。また、電圧Ｖｉ２は、維持電極ＳＵ１〜維持電極ＳＵｎに対して放電開始電圧を超える電圧に設定する。なお、この上りランプ電圧Ｌ１の勾配の一例として、約１．３Ｖ／μｓｅｃという数値を挙げることができる。
【００４８】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００４９】
初期化期間後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに下降する傾斜波形電圧を印加する。以下、この傾斜波形電圧を、「下りランプ電圧Ｌ２」と呼称する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。なお、この下りランプ電圧Ｌ２の勾配の一例として、例えば、約−２．５Ｖ／μｓｅｃという数値を挙げることができる。
【００５０】
走査電極ＳＣ１〜走査電極ＳＣｎに下りランプ電圧Ｌ２を印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。以上により、全ての放電セルで初期化放電を発生する全セル初期化動作が終了する。
【００５１】
以下、全セル初期化動作を行う期間を「全セル初期化期間」と記す。また、全セル初期化動作を行うために発生する駆動電圧波形を「全セル初期化波形」と記す。
【００５２】
続く書込み期間では、走査電極ＳＣ１〜走査電極ＳＣｎに対しては、電圧Ｖａの走査パルスを順次印加する。データ電極Ｄ１〜データ電極Ｄｍに対しては、発光するべき放電セルに対応するデータ電極Ｄｋに正の電圧Ｖｄの書込みパルスを印加する。こうして、各放電セルに選択的に書込み放電を発生する。
【００５３】
具体的には、まず維持電極ＳＵ１〜維持電極ＳＵｎに電圧Ｖｅ２を印加し、走査電極ＳＣ１〜走査電極ＳＣｎに電圧Ｖｃを印加する。
【００５４】
次に、最初に書込み動作を行う１行目の走査電極ＳＣ１に負の電圧Ｖａの走査パルスを印加するとともに、データ電極Ｄ１〜データ電極Ｄｍのうちの１行目において発光するべき放電セルのデータ電極Ｄｋに正の電圧Ｖｄの書込みパルスを印加する。このときデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【００５５】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。
【００５６】
これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生することができる。こうして、発光するべき放電セルに書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【００５７】
このようにして、１行目において発光するべき放電セルで書込み放電を発生して各電極上に壁電圧を蓄積する書込み動作を行う。一方、書込みパルスを印加しなかったデータ電極３２と走査電極ＳＣ１との交差部の電圧は放電開始電圧を超えないので、書込み放電は発生しない。
【００５８】
以上の書込み動作をｎ行目の放電セルに至るまで順次行い、書込み期間が終了する。このようにして、書込み期間では、発光するべき放電セルに選択的に書込み放電を発生し、その放電セルに壁電荷を形成する。
【００５９】
続く維持期間では、まず維持電極ＳＵ１〜維持電極ＳＵｎに電圧０（Ｖ）を印加するとともに走査電極ＳＣ１〜走査電極ＳＣｎに正の電圧Ｖｓｕｓの維持パルスを印加する。書込み放電を発生した放電セルでは、走査電極ＳＣｉと維持電極ＳＵｉとの電圧差が、維持パルスの電圧Ｖｓｕｓに走査電極ＳＣｉ上の壁電圧と維持電極ＳＵｉ上の壁電圧との差が加算されたものとなる。
【００６０】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。書込み期間において書込み放電が発生しなかった放電セルでは維持放電は発生せず、初期化期間の終了時における壁電圧が保たれる。
【００６１】
続いて、走査電極ＳＣ１〜走査電極ＳＣｎには電圧０（Ｖ）を印加し、維持電極ＳＵ１〜維持電極ＳＵｎには電圧Ｖｓｕｓの維持パルスを印加する。維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【００６２】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうすることで、書込み期間において書込み放電を発生した放電セルで維持放電が継続して発生する。
【００６３】
そして、維持期間における維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎに、電圧０（Ｖ）から電圧Ｖｅｒｓに向かって緩やかに上昇する傾斜波形電圧を印加する。以下、この傾斜波形電圧を、「消去ランプ電圧Ｌ３」と呼称する。
【００６４】
消去ランプ電圧Ｌ３は、上りランプ電圧Ｌ１よりも急峻な勾配に設定する。消去ランプ電圧Ｌ３の勾配の一例として、例えば、約１０Ｖ／μｓｅｃという数値を挙げることができる。電圧Ｖｅｒｓを放電開始電圧を超える電圧に設定することにより、維持放電を発生した放電セルの維持電極ＳＵｉと走査電極ＳＣｉとの間で、微弱な放電が発生する。
【００６５】
この微弱な放電で発生した荷電粒子は、維持電極ＳＵｉと走査電極ＳＣｉとの間の電圧差を緩和するように、維持電極ＳＵｉ上および走査電極ＳＣｉ上に蓄積されていく。したがって、維持放電が発生した放電セルにおいて、データ電極Ｄｋ上の正の壁電圧を残したまま、走査電極ＳＣｉおよび維持電極ＳＵｉ上の、壁電圧の一部または全部が消去される。すなわち、消去ランプ電圧Ｌ３によって発生する放電は、維持放電が発生した放電セル内に蓄積された不要な壁電荷を消去する「消去放電」として働く。
【００６６】
上昇する電圧があらかじめ定めた電圧Ｖｅｒｓに到達したら、走査電極ＳＣ１〜走査電極ＳＣｎに印加する電圧をベース電位となる電圧０（Ｖ）まで下降する。こうして、維持期間における維持動作が終了する。
【００６７】
第２ＳＦの初期化期間では、第１ＳＦにおける初期化期間の前半部を省略した駆動電圧波形を各電極に印加する。維持電極ＳＵ１〜維持電極ＳＵｎには電圧Ｖｅ１を、データ電極Ｄ１〜データ電極Ｄｍには電圧０（Ｖ）を、それぞれ印加する。走査電極ＳＣ１〜走査電極ＳＣｎには放電開始電圧未満となる電圧（例えば、電圧０（Ｖ））から放電開始電圧を超える負の電圧Ｖｉ４に向かって緩やかに下降する下りランプ電圧Ｌ４を印加する。この下りランプ電圧Ｌ４の勾配の一例として、例えば、約−２．５Ｖ／μｓｅｃという数値を挙げることができる。
【００６８】
これにより、直前のサブフィールド（図３では、第１ＳＦ）の維持期間で維持放電を発生した放電セルでは微弱な初期化放電が発生する。そして、走査電極ＳＣｉ上および維持電極ＳＵｉ上の壁電圧が弱められ、データ電極Ｄｋ上の壁電圧も書込み動作に適した値に調整される。一方、直前のサブフィールドの維持期間で維持放電を発生しなかった放電セルでは、初期化放電は発生せず、直前のサブフィールドの初期化期間終了時における壁電荷がそのまま保たれる。
【００６９】
このように、第２ＳＦにおける初期化動作は、直前のサブフィールドの維持期間で維持放電を発生した放電セルに対して初期化放電を発生する選択初期化動作となる。以下、選択初期化動作を行う期間を選択初期化期間と記す。
【００７０】
第２ＳＦの書込み期間および維持期間では、維持パルスの発生数を除き、各電極に対して第１ＳＦの書込み期間および維持期間と同様の駆動電圧波形を印加する。また、第３ＳＦ以降の各サブフィールドでは、維持パルスの発生数を除き、各電極に対して第２ＳＦと同様の駆動電圧波形を印加する。
【００７１】
以上が、本実施の形態においてパネル１０の各電極に印加する駆動電圧波形の概要である。
【００７２】
なお、本実施の形態において各電極に印加する電圧値は、例えば、電圧Ｖｉ１＝１４５（Ｖ）、電圧Ｖｉ２＝３５０（Ｖ）、電圧Ｖｉ３＝１９０（Ｖ）、電圧Ｖｉ４＝−１６０（Ｖ）、電圧Ｖａ＝−１８０（Ｖ）、電圧Ｖｓｕｓ＝１９０（Ｖ）、電圧Ｖｅｒｓ＝１９０（Ｖ）、電圧Ｖｅ１＝１２５（Ｖ）、電圧Ｖｅ２＝１２５（Ｖ）、電圧Ｖｄ＝６０（Ｖ）である。また、電圧Ｖｃは負の電圧Ｖａ＝−１８０（Ｖ）に正の電圧Ｖｓｃｎ＝１４５（Ｖ）を重畳することで発生することができ、その場合、電圧Ｖｃ＝−３５（Ｖ）となる。ただしこれらの電圧値は、単に一例を挙げただけに過ぎない。各電圧値は、パネル１０の特性やプラズマディスプレイ装置の仕様等に合わせて、適宜最適な値に設定することが望ましい。
【００７３】
次に、本実施の形態におけるプラズマディスプレイ装置の構成について説明する。
【００７４】
図４は、本発明の実施の形態１におけるプラズマディスプレイ装置４０の回路ブロック図である。プラズマディスプレイ装置４０は、パネル１０と駆動回路とを備えている。駆動回路は、画像信号処理回路４１、データ電極駆動回路４２、走査電極駆動回路４３、維持電極駆動回路４４、制御信号発生回路４５、電源回路６０、制御回路７０を備えている。
【００７５】
画像信号処理回路４１は、入力された画像信号ｓｉｇにもとづき、各放電セルに階調値を割り当てる。そして、その階調値を、サブフィールド毎の発光・非発光を示す画像データ（発光・非発光をデジタル信号の「１」、「０」に対応させたデータのこと）に変換する。
【００７６】
例えば、入力された画像信号ｓｉｇがＲ信号、Ｇ信号、Ｂ信号を含むときには、そのＲ信号、Ｇ信号、Ｂ信号にもとづき、各放電セルにＲ、Ｇ、Ｂの各階調値を割り当てる。あるいは、入力された画像信号ｓｉｇが輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。
【００７７】
制御信号発生回路４５は水平同期信号、垂直同期信号、および制御回路７０内のオンオフ制御部７８の出力をもとにして、各回路ブロックの動作を制御する各種の制御信号を発生する。そして、発生したタイミング信号をそれぞれの回路ブロック（データ電極駆動回路４２、走査電極駆動回路４３および維持電極駆動回路４４、等）へ供給する。また、詳細は後述するが、制御信号発生回路４５は、後述するイネーブル信号Ｃ２１にもとづき、プラズマディスプレイ装置４０の電源がオフされた直後から所定の期間は初期化輝点を低減するための動作を行う。
【００７８】
走査電極駆動回路４３は、初期化波形発生回路、維持パルス発生回路、走査パルス発生回路（図示せず）を備え、制御信号発生回路４５から供給される制御信号にもとづいて各走査電極ＳＣ１〜走査電極ＳＣｎを駆動する。初期化波形発生回路は、初期化期間に、制御信号にもとづいて走査電極ＳＣ１〜走査電極ＳＣｎに印加する初期化波形を発生する。維持パルス発生回路は、維持期間に、制御信号にもとづいて走査電極ＳＣ１〜走査電極ＳＣｎに印加する維持パルスを発生する。走査パルス発生回路は、複数の走査電極駆動ＩＣ（走査ＩＣ）を備え、書込み期間に、制御信号にもとづいて走査電極ＳＣ１〜走査電極ＳＣｎに印加する走査パルスを発生する。
【００７９】
維持電極駆動回路４４は、維持パルス発生回路および電圧Ｖｅ１、電圧Ｖｅ２を発生する回路を備え（図示せず）、制御信号発生回路４５から供給される制御信号にもとづいて維持電極ＳＵ１〜維持電極ＳＵｎを駆動する。維持期間では、制御信号にもとづいて維持パルスを発生し、維持電極ＳＵ１〜維持電極ＳＵｎに印加する。
【００８０】
データ電極駆動回路４２は、画像データを構成するサブフィールド毎のデータを、各データ電極Ｄ１〜データ電極Ｄｍに対応する信号に変換する。そして、その信号、および制御信号発生回路４５から供給される制御信号にもとづき、各データ電極Ｄ１〜データ電極Ｄｍを駆動する。書込み期間では、制御信号にもとづいて書込みパルスを発生し、データ電極Ｄ１〜データ電極Ｄｍに印加する。
【００８１】
電源回路６０は、一般的な家庭用の電源（例えば、ＡＣ１００（Ｖ））から電源回路６０内の回路に電力を供給するための主電源スイッチ６２と、パネル１０を駆動する各回路ブロックに電力を供給する駆動電源部６３と、制御回路７０を動作させるための電力を供給するスタンバイ電源部６４と、主電源スイッチ６２がオンであるか否かを示す信号（主電源オン信号Ｃ１２）を出力する通電検出部６５とを備える。
【００８２】
主電源スイッチ６２をオン（導通状態）にすると、家庭用の電源とプラズマディスプレイ装置４０とが電気的に接続され、家庭用の電源からスタンバイ電源部６４、通電検出部６５、および駆動電源部６３に電力が供給される。これにより、スタンバイ電源部６４と通電検出部６５とが動作する。スタンバイ電源部６４は制御回路７０に電力を供給する。通電検出部６５は、主電源スイッチ６２がオンであることを示す主電源オン信号Ｃ１２を出力する。一方、駆動電源部６３のオン／オフ（動作／非動作）は、制御回路７０内の電源制御部７６が制御する。
【００８３】
なお、スタンバイ電源部６４と制御回路７０とは電気的に接続され、スタンバイ電源部６４から制御回路７０に電力を供給するように構成されているが、その電力供給のための線は図４では省略する。また、駆動電源部６３と各回路ブロックとは電気的に接続され、駆動電源部６３から各回路ブロックに電力を供給するように構成されているが、その電力供給のための線は図４では省略する。
【００８４】
制御回路７０は、リモートコントロールスイッチ（以下、「リモコン」と略記する）８０が出力する信号（例えば、赤外線の信号）を受信するリモコン受光部７３と、リモコン受光部７３から出力される信号をエンコードするリモコン制御部７２と、通電検出部６５の出力信号およびリモコン制御部７２の出力信号にもとづきプラズマディスプレイ装置４０の動作開始のオン／オフを制御するオンオフ制御部７８と、駆動電源部６３のオン／オフを制御する電源制御部７６とを備える。
【００８５】
リモコン受光部７３は、リモコン８０から出力される信号（例えば、赤外線の信号）を受信し、その信号を電気的な信号に変換して出力する。
【００８６】
リモコン制御部７２は、リモコン受光部７３から出力される信号から命令セットを取り出し（エンコードし）、制御信号に変換する。その制御信号の中に、プラズマディスプレイ装置４０の電源のオン／オフを制御するオン信号Ｃ１１が含まれる。すなわち、リモコン制御部７２は、リモコン受光部７３を介してリモコン８０からの信号を受信し、オン信号Ｃ１１を発生する。
【００８７】
オンオフ制御部７８は、オン信号Ｃ１１および主電源オン信号Ｃ１２にもとづき、制御信号発生回路４５の動作を制御するためのイネーブル信号Ｃ２１を発生し、制御信号発生回路４５に供給する。また、オンオフ制御部７８は、駆動電源部６３のオン／オフを制御するためのイネーブル信号Ｃ２２を発生し、電源制御部７６に供給する。
【００８８】
制御信号発生回路４５は、イネーブル信号Ｃ２１にもとづき、プラズマディスプレイ装置４０の電源がオフされた直後から所定の期間は初期化輝点を低減するための動作を行う。以下、電源がオフされた直後から所定の期間のことを「オフ準備動作期間」と記す。また、上述の「電源がオフされた」とは、使用者がリモコン８０を操作することによりリモコン８０から送信される電源オフの信号がリモコン制御部７２で受信され、オン信号Ｃ１１がオフとなったことを表す。
【００８９】
電源制御部７６は、イネーブル信号Ｃ２２にもとづき駆動電源部６３のオン／オフ制御を行う。加えて電源制御部７６は、プラズマディスプレイ装置４０に何らかの異常が発生した場合にそのことを示す非常停止信号Ｃ３０にもとづき、駆動電源部６３をオフする。
【００９０】
制御回路７０は、例えばマイクロコンピュータ等を用いて構成することができる。
【００９１】
次に、本実施の形態におけるオフ準備動作期間について説明する。
【００９２】
上述したように、パネル１０の発光効率を高めるために放電ガスのキセノン分圧を高めると、放電遅れが大きくなる。全セル初期化動作を行うために上りランプ電圧Ｌ１を放電セルに印加するときには、放電セルに印加される電圧は放電開始電圧を超えた後も上昇を続ける。そのため、放電遅れが大きくなると、放電セルに印加する電圧が放電開始電圧を超えてから実際に放電が発生するまでの間隔が長くなり、実際に放電が発生するときに放電セルに印加されている電圧はその分だけ高くなって、放電セルに強放電が発生しやすい。強放電は、過剰な壁電荷を形成し、続く書込み動作において誤放電を誘発することがあり、その結果、書込みがなされていないにもかかわらず維持放電が生じて発光してしまう放電セルを生じさせてしまうことがある。このようにしてパネル１０に初期化輝点が発生する。
【００９３】
一方、プラズマディスプレイ装置４０の電源がオンされて各駆動回路が動作を開始することで、パネル１０は非動作状態から動作状態に変化する。そして、非動作状態から動作状態に移行した直後、すなわち、動作を開始した直後のパネル１０の放電セル内には、プライミング粒子は十分に存在しない。放電セル内におけるプライミング粒子の不足は、放電遅れを大きくする要因となる。そのため、動作を開始した直後のプラズマディスプレイ装置４０のパネル１０においては、初期化動作を行うときに強放電を発生しやすい。
【００９４】
このように、キセノン分圧を高めて発光効率を向上させたパネル１０では、プラズマディスプレイ装置４０に電源がオンされた直後にパネル１０に初期化輝点が発生しやすい。そして、初期化輝点は画像信号とは無関係に生じる発光であるため画像表示品質を劣化させる。
【００９５】
一方、本願発明者は、プラズマディスプレイ装置４０の電源がオンされた直後にパネル１０に発生する初期化動作時の強放電は、プラズマディスプレイ装置４０の電源がオフされる直前のパネル１０の点灯状態に影響されることを確認した。
【００９６】
具体的には、プラズマディスプレイ装置４０の電源がオフされる直前に点灯していた放電セルでは、プラズマディスプレイ装置４０の電源がオンされた直後の初期化動作時に強放電を発生しやすいことを確認した。これは、次のような理由によると考えられる。
【００９７】
電源がオフされる直前に維持放電を発生していた放電セルが、電源がオフされることにより急激に駆動電圧が印加されない状態になると、その放電セルは、「維持放電による大量のプライミング粒子が放電セル内に浮遊している」状態となり、かつ、その放電セルでは「ＭｇＯ表面は、維持放電による活性状態が継続され、エキソエミッション（エキソ電子）が放出され続けている」状態になると考えられる。
【００９８】
そして、放電セルに駆動電圧が印加されなくなることで放電セル内ではそれまでの電界が急激に消失し、それらの大量のプライミング粒子は、放電セル内に異常な壁電荷を構成する。この異常な壁電荷が、プラズマディスプレイ装置４０の電源がオンされて動作を開始した直後のパネル１０において、初期化動作時の強放電を誘発すると考えられる。
【００９９】
さらに、本願発明者は、プラズマディスプレイ装置４０の電源がオフされる直前にパネル１０の全面が非点灯状態（例えば、パネル１０の全面に黒を表示した状態）にあると、プラズマディスプレイ装置４０の電源がオンされた直後に、パネル１０に生じる初期化動作時の強放電の発生が低減されることを確認した。
【０１００】
これは、プラズマディスプレイ装置４０の電源がオフされる直前に放電セルに維持放電が発生しないことで、上記の放電セル（プラズマディスプレイ装置４０の電源がオフされる直前に維持放電を発生していた放電セル）と比較して、放電セル内のプライミング粒子が減少し、かつ、ＭｇＯ表面から放出されるエキソエミッション（エキソ電子）も減少するためと考えられる。
【０１０１】
そこで、本実施の形態では、プラズマディスプレイ装置４０の電源をオンした直後に発生しやすい初期化輝点を低減することを目的に、プラズマディスプレイ装置４０の電源がオフされてから（イネーブル信号Ｃ２１がオフとなってから）パネル１０に印加される全ての駆動電圧波形が停止するまでの間に「オフ準備動作期間」を設ける。
【０１０２】
このオフ準備動作期間では、全てのサブフィールドで書込み動作を行わないフィールドを所定回数繰り返す。すなわち、オフ準備動作期間では、パネル１０の全面に黒を表示するフィールドを所定回数繰り返す。
【０１０３】
図５は、本発明の実施の形態１におけるプラズマディスプレイ装置４０の電源をオンした直後の初期化輝点の発生状況とオフ準備動作期間の長さとの関係を示す特性図である。図５において、横軸はオフ準備動作期間の長さを表し、縦軸はプラズマディスプレイ装置４０の電源をオンした直後にパネル１０に生じる初期化輝点の発生状況を評価者が目視により点数化したものを表す。なお、縦軸は点数が大きいほど、すなわち、軸上で上に行くほど、初期化輝点が多く発生していることを表す。
【０１０４】
そして、図５に示すように、プラズマディスプレイ装置４０の電源をオンした直後に発生する初期化輝点は、オフ準備動作期間を設けることにより低減できることが確認された。これは、オフ準備動作期間を設けることで、オフ準備動作期間中に放電セル内のプライミング粒子が減少し、かつ、ＭｇＯ表面から放出されるエキソエミッション（エキソ電子）も減少するためと考えられる。
【０１０５】
したがって、このオフ準備動作期間はプライミング粒子等が十分に減少する長さに設定することが望ましい。しかし、図５に示すように、オフ準備動作期間を長くするにつれて、初期化輝点を低減する効果は飽和していく。そのため、オフ準備動作期間を必要以上に長くする必要はない。オフ準備動作期間は、これらのことを考慮し、電源オン時に初期化輝点を低減する効果が得られる長さで、必要以上に長くならない時間に設定することが望ましい。
【０１０６】
本発明者が行った実験では、オフ準備動作期間を６フィールド以上設けることで電源オン時に初期化輝点を低減する効果が得られることが確認された。そこで、本実施の形態では、オフ準備動作期間の長さを、例えば６フィールドとする。ただし、この数値は単なる一実施例に過ぎず、本発明は何らこの数値に限定されるものではない。オフ準備動作期間の長さは、パネル１０の特性やプラズマディスプレイ装置の仕様等に応じて最適に設定することが望ましい。
【０１０７】
このように、本実施の形態では、電源がオフされてから（イネーブル信号Ｃ２１がオフとなってから）パネル１０に印加される全ての駆動電圧波形が停止されるまでの間に「オフ準備動作期間」を設けるものとする。これにより、プラズマディスプレイ装置４０の電源がオンされた直後にパネル１０に発生しやすい初期化輝点を低減することが可能となる。
【０１０８】
次に、走査電極駆動回路４３について説明する。
【０１０９】
図６は、本発明の実施の形態１におけるプラズマディスプレイ装置４０の走査電極駆動回路４３の構成を示す回路図である。走査電極駆動回路４３は、走査電極２２側の維持パルス発生回路５０と、初期化波形発生回路５１と、走査パルス発生回路５２とを備えている。走査パルス発生回路５２の出力端子のそれぞれは、パネル１０の走査電極ＳＣ１〜走査電極ＳＣｎのそれぞれに接続されている。これは、書込み期間において走査電極２２のそれぞれに個別に走査パルスを印加できるようにするためである。
【０１１０】
なお、本実施の形態では、走査パルス発生回路５２に入力される電圧を「基準電位Ａ」と記す。また、以下の説明においては、スイッチング素子を導通する動作を「オン」、遮断する動作を「オフ」と表記し、スイッチング素子をオンにする信号を「Ｈｉ」、オフにする信号を「Ｌｏ」と表記する。また、図６では、制御信号の信号経路の詳細は省略する。
【０１１１】
また、図６には、負の電圧Ｖａを用いた回路（例えば、ミラー積分回路５４）が動作しているときに、その回路と、維持パルス発生回路５０および電圧Ｖｒを用いた回路（例えば、ミラー積分回路５３）、電圧Ｖｅｒｓを用いた回路（例えば、ミラー積分回路５５）とを電気的に分離するためのスイッチング素子Ｑ４を用いた分離回路を示している。また、電圧Ｖｒを用いた回路（例えば、ミラー積分回路５３）が動作しているときに、その回路と、電圧Ｖｒよりも低い電圧の電圧Ｖｅｒｓを用いた回路（例えば、ミラー積分回路５５）とを電気的に分離するためのスイッチング素子Ｑ６を用いた分離回路を示している。
【０１１２】
維持パルス発生回路５０は、一般に用いられている電力回収回路とクランプ回路とを備えている（図示せず）。電力回収回路は、電力回収用のコンデンサと共振用のインダクタを備え、パネル１０の電極間容量とインダクタとをＬＣ共振させて維持パルスの立ち上がりおよび立ち下がりを行う。クランプ回路は、基準電位Ａをベース電位である電圧０（Ｖ）にクランプすることができ、また、基準電位Ａを電圧Ｖｓｕｓにクランプすることができる。そして、制御信号発生回路４５から供給される制御信号にもとづいて電力回収回路とクランプ回路とを切り換えて動作させながら、走査パルス発生回路５２に入力される基準電位Ａを電圧Ｖｓｕｓまたは接地電位（電圧０（Ｖ））にすることで維持パルスを発生する。
【０１１３】
なお、図示はしていないが、維持電極駆動回路４４は、維持パルス発生回路５０とほぼ同じ構成の維持パルス発生回路を備えている。そして、制御信号発生回路４５から供給される制御信号にもとづき、内部に備えた各スイッチング素子を切り換えて維持パルスを発生する。そして、ｎ本の維持電極ＳＵ１〜維持電極ＳＵｎに維持パルスを印加する。
【０１１４】
走査パルス発生回路５２は、基準電位Ａを負の電圧Ｖａに接続するためのスイッチング素子Ｑ５と、基準電位Ａに電圧Ｖｓｃｎを重畳した電圧Ｖｃを発生するための電源ＶＳＣＮ、ダイオードＤｉ３１、コンデンサＣ３１と、走査電極ＳＣ１〜走査電極ＳＣｎのそれぞれに電圧Ｖｃを印加するためのスイッチング素子ＱＨ１〜スイッチング素子ＱＨｎと、走査電極ＳＣ１〜走査電極ＳＣｎのそれぞれに基準電位Ａを印加するためのスイッチング素子ＱＬ１〜スイッチング素子ＱＬｎとを備えている。
【０１１５】
そして、スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。すなわち、走査パルス発生回路５２は走査電極ＳＣ１〜走査電極ＳＣｎに印加する走査パルスを発生する複数の走査ＩＣを有する。このように、多数のスイッチング素子ＱＨ１〜スイッチング素子ＱＨｎ、スイッチング素子ＱＬ１〜スイッチング素子ＱＬｎをＩＣ化することにより、回路をコンパクトにまとめ、回路をプリント基板に搭載する面積（実装面積）を小さくすることができる。さらに、プラズマディスプレイ装置４０の製造に要するコストも下げることができる。
【０１１６】
スイッチング素子ＱＨ１〜スイッチング素子ＱＨｎの入力端子ＩＮｂには電圧Ｖｃが接続され、スイッチング素子ＱＬ１〜スイッチング素子ＱＬｎの入力端子ＩＮａには基準電位Ａが接続されている。
【０１１７】
このように構成された走査パルス発生回路５２では、書込み期間においては、スイッチング素子Ｑ５をオンにして基準電位Ａを負の電圧Ｖａに接続し、入力端子ＩＮａには負の電圧Ｖａを、入力端子ＩＮｂには電圧Ｖａ＋電圧Ｖｓｃｎとなった電圧Ｖｃを印加する。そして、制御信号発生回路４５から供給される制御信号にもとづき、走査パルスを印加する走査電極ＳＣｉに対しては、スイッチング素子ＱＨｉをオフ、スイッチング素子ＱＬｉをオンにすることで、スイッチング素子ＱＬｉを経由して走査電極ＳＣｉに負の電圧Ｖａの走査パルスを印加する。また、走査パルスを印加しない走査電極ＳＣｈ（ｈは、１〜ｎのうちｉを除いたもの）に対しては、スイッチング素子ＱＬｈをオフ、スイッチング素子ＱＨｈをオンにすることで、スイッチング素子ＱＨｈを経由して走査電極ＳＣｈに電圧Ｖａ＋電圧Ｖｓｃｎを印加する。
【０１１８】
初期化波形発生回路５１は、ミラー積分回路５３、ミラー積分回路５４、ミラー積分回路５５、および定電流発生回路５６を有する。なお、ミラー積分回路５３およびミラー積分回路５５は上昇する傾斜波形電圧を発生する傾斜波形電圧発生回路であり、ミラー積分回路５４は下降する傾斜波形電圧を発生する傾斜波形電圧発生回路である。また、図６には、ミラー積分回路５３の入力端子を入力端子ＩＮ１、ミラー積分回路５５の入力端子を入力端子ＩＮ３、定電流発生回路５６の入力端子を入力端子ＩＮ２として示している。
【０１１９】
ミラー積分回路５３は、スイッチング素子Ｑ１とコンデンサＣ１と抵抗Ｒ１とコンデンサＣ１に直列に接続されたツェナーダイオードＤｉ１０とを有する。そして、初期化動作時に、走査電極駆動回路４３の基準電位Ａを電圧Ｖｉ２までランプ状に緩やかに（例えば、１．３Ｖ／μｓｅｃで）上昇させて上りランプ電圧Ｌ１を発生する。なお、ツェナーダイオードＤｉ１０は、全セル初期化動作時（ここでは、第１ＳＦの初期化期間）に、ツェナー電圧（例えば、４５（Ｖ））を電圧Ｖｓｃｎに重畳して電圧Ｖｉ１を発生させる働きを有する。すなわち、上りランプ電圧Ｌ１の開始電圧（傾斜波形電圧の上昇が開始される電圧）を電圧Ｖｉ１にする働きを有する。したがって、ツェナーダイオードＤｉ１０のツェナー電圧は、基準電位Ａへの積み上げ電圧となる。
【０１２０】
なお、電圧Ｖｒを電圧Ｖｉ２に等しい電圧に設定してもよいが、例えば、電圧Ｖｒに電圧Ｖｓｃｎを重畳した電圧を電圧Ｖｉ２とし、上りランプ電圧Ｌ１を発生する期間、スイッチング素子ＱＨ１〜スイッチング素子ＱＨｎをオンにし、スイッチング素子ＱＬ１〜スイッチング素子ＱＬｎをオフにして、初期化波形発生回路５１から出力される電圧に電圧Ｖｓｃｎを重畳した電圧を、スイッチング素子ＱＨ１〜スイッチング素子ＱＨｎを経由して走査電極ＳＣ１〜走査電極ＳＣｎに印加する構成とすることもできる。
【０１２１】
ミラー積分回路５５は、スイッチング素子Ｑ３とコンデンサＣ３と抵抗Ｒ３とを有する。そして、維持期間の最後に、基準電位Ａを上りランプ電圧Ｌ１よりも急峻な勾配（例えば、１０Ｖ／μｓｅｃ）で電圧Ｖｅｒｓまで上昇させて消去ランプ電圧Ｌ３を発生する。
【０１２２】
ミラー積分回路５４は、スイッチング素子Ｑ２とコンデンサＣ２と抵抗Ｒ２とを有する。そして、初期化動作時に、基準電位Ａを電圧Ｖｉ４までランプ状に緩やかに（例えば、−２．５Ｖ／μｓｅｃの勾配で）下降させて下りランプ電圧Ｌ２および下りランプ電圧Ｌ４を発生する。
【０１２３】
定電流発生回路５６は、入力端子ＩＮ２にコレクタが接続されたトランジスタＱ９と、入力端子ＩＮ２とトランジスタＱ９のベースとの間に挿入された抵抗Ｒ９と、抵抗Ｒ９にカソードが接続され抵抗Ｒ２にアノードが接続されたツェナーダイオードＤｉ９と、トランジスタＱ９のエミッタと抵抗Ｒ２との間に直列に接続された抵抗Ｒ１２とを有し、入力端子ＩＮ２に所定の電圧（例えば、５（Ｖ））を印加することで、定電流を発生する。この定電流はミラー積分回路５４に入力され、ミラー積分回路５４は、この定電流が入力される期間、基準電位Ａの電位を下降する。
【０１２４】
ここで、本実施の形態における初期化波形発生回路５１は、ゲートを入力端子ＩＮ４とするスイッチング素子Ｑ２１を備えた構成とする。スイッチング素子Ｑ２１は、入力端子ＩＮ４に印加する制御信号が「Ｈｉ」（例えば、５（Ｖ））のときにオンになり、「Ｌｏ」（例えば、０（Ｖ））のときにオフになる。そして、定電流発生回路５６は、スイッチング素子Ｑ２１のスイッチング操作により定電流発生回路５６から出力する定電流の電流値を変更する抵抗Ｒ１３を備えている。具体的には、抵抗Ｒ１３の一方の端子を抵抗Ｒ１２とトランジスタＱ９との接続点に接続し、他方の端子をスイッチング素子Ｑ２１のドレインに接続する。そして、スイッチング素子Ｑ２１のソースを抵抗Ｒ１２と抵抗Ｒ２との接続点に接続する。これにより、スイッチング素子Ｑ２１をオンにすることで、抵抗Ｒ１２と抵抗Ｒ１３とが電気的に並列に接続され、スイッチング素子Ｑ２１がオフのときよりも定電流発生回路５６から出力される定電流の電流値を大きくし、ミラー積分回路５４から出力される傾斜波形電圧の勾配を大きくすることができる。
【０１２５】
これにより、本実施の形態におけるミラー積分回路５４は、勾配が異なる２つの傾斜波形電圧を発生することができる。
【０１２６】
なお、各回路を制御する制御信号は、制御信号発生回路４５から供給される。
【０１２７】
なお、走査パルス発生回路５２は、初期化期間では初期化波形発生回路５１が出力する電圧波形を出力し、維持期間では維持パルス発生回路５０が出力する電圧波形を出力するように、制御信号発生回路４５によって制御されるものとする。すなわち、初期化波形発生回路５１または維持パルス発生回路５０が動作しているときには、走査パルス発生回路５２のスイッチング素子ＱＨ１〜スイッチング素子ＱＨｎをオフ、スイッチング素子ＱＬ１〜スイッチング素子ＱＬｎをオンにすることにより、スイッチング素子ＱＬ１〜スイッチング素子ＱＬｎを経由して各走査電極ＳＣ１〜走査電極ＳＣｎに、初期化波形または維持パルスを印加する。または、初期化波形発生回路５１から出力される電圧に電圧Ｖｓｃｎを重畳した電圧を走査電極ＳＣ１〜走査電極ＳＣｎに印加するときには、スイッチング素子ＱＨ１〜スイッチング素子ＱＨｎをオンにし、スイッチング素子ＱＬ１〜スイッチング素子ＱＬｎをオフにして、スイッチング素子ＱＨ１〜スイッチング素子ＱＨｎを経由して走査電極ＳＣ１〜走査電極ＳＣｎに初期化波形を印加する。
【０１２８】
図７は、本発明の実施の形態１におけるプラズマディスプレイ装置４０のデータ電極駆動回路４２の構成を示す回路図である。データ電極駆動回路４２は、スイッチング素子Ｑ１Ｄ１〜スイッチング素子Ｑ１Ｄｍおよびスイッチング素子Ｑ２Ｄ１〜スイッチング素子Ｑ２Ｄｍを有している。
【０１２９】
データ電極駆動回路４２は、スイッチング素子Ｑ１Ｄ１〜スイッチング素子Ｑ１Ｄｍを介して各データ電極３２をそれぞれ独立して電圧Ｖｄにクランプする。また、スイッチング素子Ｑ２Ｄ１〜スイッチング素子Ｑ２Ｄｍを介して各データ電極３２をそれぞれ独立して接地し、０（Ｖ）にクランプする。このようにして、データ電極駆動回路４２はデータ電極３２をそれぞれ独立に駆動し、データ電極３２に正の書込みパルス電圧Ｖｄを印加する。
【０１３０】
そして、データ電極駆動回路４２は、オフ準備動作期間においては、このスイッチング素子Ｑ１Ｄ１〜スイッチング素子Ｑ１Ｄｍおよびスイッチング素子Ｑ２Ｄ１〜スイッチング素子Ｑ２Ｄｍを制御して書込みパルスの発生を停止することで、パネル１０の全面を黒にする（維持放電を発生しない状態にする）ことができる。そして、この制御信号は、制御信号発生回路４５から供給される。
【０１３１】
以上示したように、本実施の形態では、電源がオフされてから（イネーブル信号Ｃ２１がオフとなってから）パネル１０に印加される全ての駆動電圧波形が停止されるまでの間にオフ準備動作期間を設けるものとする。そして、オフ準備動作期間においては、書込みパルスの発生を停止し、パネル１０の全面を黒にする（維持放電を発生しない状態にする）。これにより、プラズマディスプレイ装置４０の電源をオンした直後に発生する初期化輝点を低減することが可能となる。
【０１３２】
（実施の形態２）
実施の形態１では、オフ準備動作期間において書込みパルスの発生を停止し、パネル１０の全面を黒にする（維持放電を発生させない）構成を説明した。しかしながら、このように書込みパルスの発生を停止する場合、書込みパルスだけでなく、走査パルスおよび維持パルスの発生を停止しても問題ない。また、選択初期化動作による初期化放電を発生させるための下りランプ電圧Ｌ４の発生を停止しても問題ない。
【０１３３】
そこで、本実施の形態では、オフ準備動作期間に、書込みパルス、走査パルス、維持パルスおよび下りランプ電圧Ｌ４の発生を停止し、全セル初期化動作だけを行うものとする。
【０１３４】
また、書込みパルス、走査パルス、維持パルスおよび下りランプ電圧Ｌ４の発生を停止する期間は、通常動作時と比較して短縮することもできる。すなわち、オフ準備動作期間において全セル初期化動作だけを行う場合、全セル初期化動作から次の全セル初期化動作までの期間を、画像信号にもとづきパネル１０を駆動する通常動作時と比較して、短縮することもできる。
【０１３５】
例えば、６０Ｈｚの画像信号にもとづきプラズマディスプレイ装置４０を動作する通常動作時においては、１フィールドの長さは、約１６ｍｓｅｃである。したがって、その通常動作時においては、全セル初期化動作から次の全セル初期化動作までの期間は、約１６ｍｓｅｃとなる。それに対し、本実施の形態におけるオフ準備動作期間では、全セル初期化動作から次の全セル初期化動作までの期間を通常動作時よりも短縮し、例えば、約３ｍｓｅｃとすることができる。
【０１３６】
図８は、本発明の実施の形態２におけるオフ準備動作期間にパネル１０の各電極に印加する駆動電圧波形を示す図である。図８には、走査電極ＳＣｉ、維持電極ＳＵ１〜維持電極ＳＵｎ、およびデータ電極Ｄ１〜データ電極Ｄｍのそれぞれに印加する駆動電圧波形を示す。あわせて、イネーブル信号Ｃ２１を示す。
【０１３７】
リモコン制御部７２から出力されるオン信号Ｃ１１にもとづきオンオフ制御部７８から出力されるイネーブル信号Ｃ２１がオンからオフに切り換わると、制御信号発生回路４５は、通常動作から、オフ準備動作期間の動作を行うように、制御信号を変更する。
【０１３８】
そして、本実施の形態におけるオフ準備動作期間においては、図８に示すように、書込みパルス、走査パルス、維持パルスおよび下りランプ電圧Ｌ４の発生を停止し、全セル初期化動作（図３に示した第１ＳＦの初期化期間における動作）だけを所定回数繰り返す。また、全セル初期化動作から次の全セル初期化動作までの期間を、通常動作時よりも短い期間（例えば、３ｍｓｅｃ）に設定している。
【０１３９】
そして、オフ準備動作期間が終了したら、プラズマディスプレイ装置４０は、全ての駆動電圧波形の発生を停止した状態となる（図８には、「停止期間」と記す）。
【０１４０】
図９は、本発明の実施の形態２におけるプラズマディスプレイ装置４０の電源をオンした直後の初期化輝点の発生状況とオフ準備動作期間の長さとの関係を示す特性図である。図９において、横軸はオフ準備動作期間の長さを表し、縦軸はプラズマディスプレイ装置４０の電源をオンした直後にパネル１０に生じる初期化輝点の発生状況を評価者が目視により点数化したものを表す。縦軸は点数が大きいほど、すなわち、軸上で上に行くほど、初期化輝点が多く発生していることを表す。また、図９には、比較のために、図５に示した特性を破線で示す。
【０１４１】
本実施の形態においては、図９に示すように、プラズマディスプレイ装置４０の電源をオンした直後に発生する初期化輝点を低減する効果を得るために必要なオフ準備動作期間の長さを、実施の形態１に示した構成と比較して、短縮することができる。
【０１４２】
これは、実施の形態１に示す構成と実施の形態２に示す構成とを比較したとき、オフ準備動作期間の長さを同一（例えば、０．１ｓｅｃ）にして比較した場合、実施の形態２に示す構成では、放電セル内の壁電荷を安定化することができる全セル初期化動作を、実施の形態１に示した構成と比較して、より多く実行することができるためと考えられる。
【０１４３】
以上示したよう、本実施の形態では、電源がオフされてから（イネーブル信号Ｃ２１がオフとなってから）パネル１０に印加される全ての駆動電圧波形が停止されるまでの間にオフ準備動作期間を設けるとともに、オフ準備動作期間においては書込みパルス、走査パルス、維持パルスおよび下りランプ電圧Ｌ４の発生を停止して全セル初期化動作だけを行い、かつ、全セル初期化動作から次の全セル初期化動作までの期間を、通常動作時よりも短い期間に設定するものとする。すなわち、オフ準備動作期間には全セル初期化波形だけを発生するものとする。これにより、プラズマディスプレイ装置４０の電源をオンした直後に発生する初期化輝点を低減する効果を得るために必要なオフ準備動作期間の長さを、実施の形態１に示した構成と比較して、短縮することが可能となる。
【０１４４】
なお、図８には、イネーブル信号Ｃ２１がオフに変化した直後にオフ準備動作期間に移行する構成を示したが、例えば、イネーブル信号Ｃ２１がオフに変化した時点ですでに発生しているフィールドに関しては、そのフィールドが終了するまでは通常動作を行い、その後、オフ準備動作期間に移行する構成としてもよい。
【０１４５】
なお、実施の形態２では、オフ準備動作期間において、全セル初期化動作から次の全セル初期化動作までの期間、すなわち、全セル初期化波形の発生から次の全セル初期化波形の発生までの期間を、通常動作時よりも短い期間に設定する構成を説明したが、この期間を通常動作時と同じにしてもよい。ただし、その場合でも、オフ準備動作期間は書込みパルス、走査パルス、維持パルスおよび下りランプ電圧Ｌ４の発生を停止するものとする。
【０１４６】
また、実施の形態２では、通常動作時の初期化電圧Ｖｉ２とオフ準備動作期間における初期化電圧Ｖｉ２とを同じ電圧にするものとして説明を行ったが、これらの電圧値は互いに異なる値であってもよい。例えば、オフ準備動作期間Ｖｉ２の電圧を通常動作時の初期化電圧Ｖｉ２よりも高くすると、初期化放電の発生期間を通常動作時よりも長くできるので、壁電荷をより安定に放電セル内に配置させることができるといった効果を得ることができる。
【０１４７】
また、実施の形態２においては、通常動作時とオフ準備動作期間とで、上りランプ電圧Ｌ１および下りランプ電圧Ｌ２の傾きを同じにするものとして説明を行ったが、これらの傾きは互いに異なる値であってもよい。
【０１４８】
なお、本願発明者が行った実験では、オフ準備動作期間において全セル初期化動作から次の全セル初期化動作までの期間を３ｍｓｅｃとし、その繰り返しを６回以上行う（オフ準備動作期間において全セル初期化動作を６回以上行う）ことで、電源オン時に初期化輝点を低減する効果を得られることが確認された。そこで、本実施の形態では、オフ準備動作期間において、全セル初期化動作から次の全セル初期化動作までの期間を３ｍｓｅｃとし、全セル初期化動作の繰り返しを６回行うものとする。ただし、この数値は単なる一実施例に過ぎず、本発明は何らこの数値に限定されるものではない。オフ準備動作期間において、全セル初期化動作から次の全セル初期化動作までの期間の長さをどうするか、全セル初期化動作の繰り返し回数をどうするかは、パネル１０の特性やプラズマディスプレイ装置の仕様等に応じて最適に設定することが望ましい。
【０１４９】
（実施の形態３）
実施の形態２では、全セル初期化動作時の波形形状が、通常動作時とオフ準備動作期間とで互いに同じである構成を説明したが、例えば、オフ準備動作期間における全セル初期化動作時の波形形状を通常動作時と異ならせてもかまわない。
【０１５０】
図１０は、本発明の実施の形態３における走査電極駆動回路の一部を抜き出して示した回路図である。なお、本実施の形態における走査電極駆動回路は、図６に示した走査電極駆動回路４３にスイッチング素子ＳＷ１を追加した構成に過ぎないので、図１０にはスイッチング素子ＳＷ１の挿入箇所がわかる回路部品だけを示し、他の回路部品は省略している。
【０１５１】
図１０に示すように、本実施の形態においては、スイッチング素子ＱＨ１〜スイッチング素子ＱＨｎの入力端子ＩＮｂと、接地電位である０（Ｖ）との間にスイッチング素子ＳＷ１を挿入する。また、図１０には、スイッチング素子ＳＷ１の入力端子を入力端子ＩＮ５と示している。
【０１５２】
図１１は、本発明の実施の形態３におけるオフ準備動作期間において全セル初期化動作時に走査電極２２に印加する波形形状を示す波形図である。図１１には、走査電極２２に印加する駆動電圧波形を示す。あわせて、スイッチング素子ＳＷ１を動作させる信号（入力端子ＩＮ５に印加する信号）およびミラー積分回路５４の動作状態を示す。
【０１５３】
本実施の形態においては、オフ準備動作期間の全セル初期化動作時に走査電極２２に印加する下りランプ電圧を、通常動作時の全セル初期化動作時に発生する下りランプ電圧Ｌ２とは、波形形状を変えて発生している。
【０１５４】
具体的には、下りランプ電圧を発生する際に、入力端子ＩＮ５をオンにする期間Ｔｒａｍｐ１を設ける。そして、その期間Ｔｒａｍｐ１の間は、入力端子ＩＮ５をオンにすることで、走査電極２２に印加する電圧を急峻に下降させる（図１１には、「ランプ波形１」と示す）。そして、期間Ｔｒａｍｐ１の後は、下りランプ電圧Ｌ２を発生するときと同様にミラー積分回路５４を動作し、電圧Ｖｉ４に向かって緩やかに（例えば、約−２．５Ｖ／μｓｅｃの勾配で）下降する下りランプ電圧を走査電極２２に印加する（図１１には、「ランプ波形２」と示す）。
【０１５５】
実施の形態２に示したように、通常動作時と比較して、全セル初期化動作の発生周期が短くなると、ミラー積分回路５４を動作させる周期が短くなり、ミラー積分回路５４の負荷が増大する。
【０１５６】
しかし、本実施の形態に示す構成では、オフ準備動作期間の全セル初期化動作時にミラー積分回路５４を動作させる期間を、通常動作時よりも短縮することができる。これにより、ミラー積分回路５４の負荷を軽減することが可能となる。
【０１５７】
なお、初期化動作においては、放電セル内に放電が発生する直前までは、走査電極２２に印加する電圧を急峻に下降しても、初期化動作そのものに大きな影響は与えない。そこで、本実施の形態では、放電セル内に放電が発生する直前まで入力端子ＩＮ５をオンにし、その間、走査電極２２に印加する電圧を急峻に下降するものとする。そして、その期間を期間Ｔｒａｍｐ１とする。しかし、期間Ｔｒａｍｐ１の長さは、パネル１０の特性やプラズマディスプレイ装置４０の仕様、あるいはオフ準備動作期間の長さ等によって、最適な値に設定することが望ましい。
【０１５８】
なお、実施の形態１に示した構成であっても、期間Ｔｒａｍｐ１の間、入力端子ＩＮ４と入力端子ＩＮ２とを同時にオンにすることで、走査電極２２に印加する電圧を急峻に下降することができる。
【０１５９】
なお、本実施の形態に示した各制御信号の極性は、何ら上述した極性に限定されるものではない。本実施の形態に示した動作と同様の動作をする構成であれば、上述した極性とは逆の極性であってもかまわない。
【０１６０】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０１６１】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０１６２】
なお、上述した駆動回路は一例を示したものであり、駆動回路の構成は上述した構成に限定されるものではない。
【０１６３】
なお、本発明の実施の形態において示した具体的な数値は、画面サイズが５０インチ、表示電極対２４の数が１０８０のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、サブフィールド数や各サブフィールドの輝度重み等も本発明における実施の形態に示した値に限定されるものではなく、また、画像信号等にもとづいてサブフィールド構成を切り換える構成であってもよい。
【産業上の利用可能性】
【０１６４】
本発明は、高輝度化されたパネルであっても、プラズマディスプレイ装置に電源を投入した直後にパネルに発生しやすい初期化輝点を低減し、画像の表示品質を向上することが可能であるので、パネルの駆動方法およびプラズマディスプレイ装置として有用である。
【符号の説明】
【０１６５】
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４０    プラズマディスプレイ装置
４１    画像信号処理回路
４２    データ電極駆動回路
４３    走査電極駆動回路
４４    維持電極駆動回路
４５    制御信号発生回路
５０    維持パルス発生回路
５１    初期化波形発生回路
５２    走査パルス発生回路
５３，５４，５５    ミラー積分回路
５６    定電流発生回路
６０    電源回路
６２    主電源スイッチ
６３    駆動電源部
６４    スタンバイ電源部
６５    通電検出部
７０    制御回路
７２    リモコン制御部
７３    リモコン受光部
７６    電源制御部
７８    オンオフ制御部
８０    リモコン
Ｑ１，Ｑ２，Ｑ３，Ｑ４，Ｑ５，Ｑ６，Ｑ２１，ＱＨ１〜ＱＨｎ，ＱＬ１〜ＱＬｎ，ＳＷ１    スイッチング素子
Ｃ１，Ｃ２，Ｃ３，Ｃ３１    コンデンサ
Ｄｉ３１    ダイオード
Ｄｉ９，Ｄｉ１０    ツェナーダイオード
Ｒ１，Ｒ２，Ｒ３，Ｒ９，Ｒ１２，Ｒ１３    抵抗
Ｑ９    トランジスタ
Ｌ１    上りランプ電圧
Ｌ２，Ｌ４    下りランプ電圧
Ｌ３    消去ランプ電圧
【図１】
2011089888.tif 000003
【図２】
2011089888.tif 000004
【図３】
2011089888.tif 000005
【図４】
2011089888.tif 000006
【図５】
2011089888.tif 000007
【図６】
2011089888.tif 000008
【図７】
2011089888.tif 000009
【図８】
2011089888.tif 000010
【図９】
2011089888.tif 000011
【図１０】
2011089888.tif 000012
【図１１】
2011089888.tif 000013
【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
走査電極と維持電極とデータ電極とを有する放電セルを複数備えたプラズマディスプレイパネルと、
前記放電セルで初期化放電を発生する初期化期間と前記放電セルで書込み放電を発生する書込み期間と前記放電セルで維持放電を発生する維持期間とを有する複数のサブフィールドで１フィールド期間を構成し、前記走査電極と前記維持電極と前記データ電極とに印加する駆動電圧波形を発生する駆動回路と、
前記駆動回路に供給する電源のオン・オフを制御する電源スイッチとを備えたプラズマディスプレイ装置であって、
前記駆動回路は、前記電源スイッチがオフとなった後、全ての放電セルで初期化放電を発生する全セル初期化動作を行うように全セル初期化波形を前記走査電極に複数回印加し、前記電源スイッチがオフとなった後における前記全セル初期化動作から次の全セル初期化動作までの期間は通常動作時に比べて短く、前記電源スイッチがオフとなった後に前記走査電極に印加する前記全セル初期化波形の初期化電圧を、通常動作時における前記全セル初期化波形の初期化電圧よりも高くすることを特徴とするプラズマディスプレイ装置。
【請求項２】
通常動作時の１フィールド期間内に、下りランプ電圧を前記走査電極に印加して直前のサブフィールドで維持放電を発生した放電セルだけで初期化放電を発生する初期化期間を有し、前記駆動回路は、前記電源スイッチがオフとなった後に、前記書込み放電を発生させる書込みパルスおよび走査パルスと前記維持放電を発生させる維持パルスと前記下りランプ電圧の発生を停止することを特徴とする請求項１に記載のプラズマディスプレイ装置。
【請求項３】
前記書込みパルス、前記走査パルス、前記維持パルスおよび前記下りランプ電圧の発生を停止する期間を、通常動作時と比較して短縮することを特徴とする請求項２に記載のプラズマディスプレイ装置。
【国際調査報告】
2011089888.tif 000014
2011089888.tif 000015